(57)【要約】      （修正有）【課題】複数のツース部材を間隔調整可能に並設して異なるサイズのバケットに対応可能であり、間隔調整機構要素の板厚の増大を防止しつつツース盤自体に作用する曲げ荷重に対する耐性の向上を図ったショベル機械用のバケットに付設するツース盤を提供する。【解決手段】ツース盤は、バケットに配置する右ツース部材１１、左ツース部材３１、中央ツース部材２１の並設構造で、右ツース部材本体の左側の側面部に間隔調整用折曲突出部１４を設け、左ツース部材本体の右側の側面部に中央ツース部材の間隔調整用折曲突出部２４の前方側が嵌入可能な凹陥部及び後方側が接合する折り曲げ受片部が連なる構成とし、中央ツース部材本体の左側の側面部に左ツース部材の凹陥部に嵌入し、接合する間隔調整用折曲突出部を設けるとともに、中央ツース部材本体には、右ツース部材の間隔調整用折曲突出部の前方側が嵌入可能な凹陥部及び後方側が接合する折り曲げ受片部が連なる構成とした。【選択図】図１
0003216474.tif 000002
【実用新案登録請求の範囲】
【請求項１】
バケットの右側片側に配置する右ツース部材、バケットの左側片側に配置する左ツース部材、及び前記右ツース部材、左ツース部材間に並設される単数個又は複数個の中央ツース部材からなる複数個のツース部材の並設構造で、各々基端側に連結ピン用のピン穴を具備し、バケット側から突出させたアダプターが装着可能な嵌入用凹陥部を設け、各々突出端側に掘削用の土砂等に食い込ませる刃部を露出状態に設けたショベル機械用のバケットに付設されるツース盤であって、
前記右ツース部材における右ツース部材本体の左側の側面部に刃部側から後部側にわたって間隔調整用折曲突出部を設け、
前記左ツース部材における左ツース部材本体の右側の側面部に刃部側から後部側にわたって中央ツース部材の間隔調整用折曲突出部の前方側が嵌入可能な間隔調整用凹陥部及び前記間隔調整用折曲突出部の後方側が接合する折り曲げ受片部が連なる間隔調整用受部を設け、
前記中央ツース部材における中央ツース部材本体の左側の側面部に刃部側から後部側にわたって前記左ツース部材又は他の中央ツース部材における間隔調整用凹陥部に嵌入し、接合する間隔調整用折曲突出部を設けるとともに、前記中央ツース部材本体には、前記右ツース部材又は他の中央ツース部材における前記間隔調整用折曲突出部の前方側が嵌入可能な間隔調整用凹陥部及び前記間隔調整用折曲突出部の後方側が接合する折り曲げ受片部が連なる間隔調整用受部を設けること、
により構成し、
前記右ツース部材、単数個又は複数個の中央ツース部材、左ツース部材の並設構造において、隣り合うもの間における前記間隔調整用折曲突出部と、前記間隔調整用凹陥部及び折り曲げ受片部との複数面接合構造により、前記ツース盤に作用する曲げ荷重に対する耐性を向上したことを特徴とするショベル機械用のバケットに付設されるツース盤。
【請求項２】
バケットの右側片側に配置する右ツース部材、バケットの左側片側に配置する左ツース部材、及び前記右ツース部材、左ツース部材間に並設される中央ツース部材からなる３個のツース部材の並設構造で、各々基端側に連結ピン用のピン穴を具備し、バケット側から突出させたアダプターが装着可能な嵌入用凹陥部を設け、各々突出端側に掘削用の土砂等に食い込ませる刃部を露出状態に設けたショベル機械用のバケットに付設されるツース盤であって、
前記右ツース部材における右ツース部材本体の左側の側面部に刃部側から後部側にわたって間隔調整用折曲突出部を設け、
前記左ツース部材における左ツース部材本体の右側の側面部に刃部側から後部側にわたって中央ツース部材の間隔調整用折曲突出部の前方側が嵌入可能な間隔調整用凹陥部及び前記間隔調整用折曲突出部の後方側が接合する折り曲げ受片部が連なる間隔調整用受部を設け、
前記中央ツース部材における中央ツース部材本体の左側の側面部に刃部側から後部側にわたって前記左ツース部材における間隔調整用凹陥部に嵌入し、接合する間隔調整用折曲突出部を設けるとともに、前記中央ツース部材本体には、前記右ツース部材における前記間隔調整用折曲突出部の前方側が嵌入可能な間隔調整用凹陥部及び前記間隔調整用折曲突出部の後方側が接合する折り曲げ受片部が連なる間隔調整用受部を設けること、
により構成し、
前記右ツース部材、中央ツース部材、左ツース部材の並設構造において、隣り合うもの間における前記間隔調整用折曲突出部と、前記間隔調整用凹陥部及び折り曲げ受片部との複数面接合構造により、前記ツース盤に作用する曲げ荷重に対する耐性を向上したことを特徴とするショベル機械用のバケットに付設されるツース盤。
【請求項３】
バケットの右側片側に配置する右ツース部材、バケットの左側片側に配置する左ツース部材、及び前記右ツース部材、左ツース部材間に並設される単数個又は複数個の中央ツース部材からなる複数個のツース部材の並設構造で、各々基端側に連結ピン用のピン穴を具備し、バケット側から突出させたアダプターが装着可能な嵌入用凹陥部を設け、各々突出端側に掘削用の土砂等に食い込ませる刃部を露出状態に設けたショベル機械用のバケットに付設されるツース盤であって、
前記右ツース部材における右ツース部材本体の左側の側面部に刃部側から後部側にわたって間隔調整用折曲突出部を設けるとともに、前記間隔調整用折曲突出部の突出端下部に落下防止機構部を構成する落下防止用突部を設け、
前記左ツース部材における左ツース部材本体の右側の側面部に刃部側から後部側にわたって中央ツース部材の間隔調整用折曲突出部の前方側が嵌入可能な間隔調整用凹陥部及び前記間隔調整用折曲突出部の後方側が接合する折り曲げ受片部が連なる構成とするとともに。前記間隔調整用凹陥部を形成する間隔調整用凹陥部下片を間隔調整用凹陥部上片より短尺にして落下防止用突部が係合する構成とするとともに、
前記中央ツース部材における中央ツース部材本体の左側の側面部に刃部側から後部側にわたって前記左ツース部材又は他の中央ツース部材における間隔調整用凹陥部に嵌入し、接合する間隔調整用折曲突出部を設けるとともに、前記中央ツース部材本体には、前記右ツース部材又は他の中央ツース部材における前記間隔調整用折曲突出部の前方側が嵌入可能な間隔調整用凹陥部及び前記間隔調整用折曲突出部の後方側が接合する折り曲げ受片部が連なる構成とし、前記間隔調整用折曲突出部の突出端下部に落下防止機構部を構成する落下防止用突部を設け、前記間隔調整用凹陥部を形成する間隔調整用凹陥部下片を間隔調整用凹陥部上片より短尺にして落下防止用突部が係合する構成とし、
前記右ツース部材、単数個又は複数個の中央ツース部材、左ツース部材の並設構造において、隣り合うもの間における前記間隔調整用折曲突出部と、前記間隔調整用凹陥部及び折り曲げ受片部との複数面接合構造により、前記ツース盤に作用する曲げ荷重に対する耐性を向上するとともに、前記右ツース部材、単数個又は複数個の中央ツース部材の並設構造において、前記落下防止用突部と前記間隔調整用凹陥部下片との係合により単数個又は複数個の中央ツース部材の脱落を防止し、前記中央ツース部材と左ツース部材との並設構造において、前記落下防止用突部と前記間隔調整用凹陥部下片との係合により左ツース部材の脱落を防止するように構成したことを特徴とするショベル機械用のバケットに付設されるツース盤。
【請求項４】
バケットの右側片側に配置する右ツース部材、バケットの左側片側に配置する左ツース部材、及び前記右ツース部材、左ツース部材間に並設される中央ツース部材からなる３個のツース部材の並設構造で、各々基端側に連結ピン用のピン穴を具備し、バケット側から突出させたアダプターが装着可能な嵌入用凹陥部を設け、各々突出端側に掘削用の土砂等に食い込ませる刃部を露出状態に設けたショベル機械用のバケットに付設されるツース盤であって、
前記右ツース部材における右ツース部材本体の左側の側面部に刃部側から後部側にわたって間隔調整用折曲突出部を設けるとともに、前記間隔調整用折曲突出部の突出端下部に落下防止機構部を構成する落下防止用突部を設け、
前記左ツース部材における左ツース部材本体の右側の側面部に刃部側から後部側にわたって中央ツース部材の間隔調整用折曲突出部の前方側が嵌入可能な間隔調整用凹陥部及び前記間隔調整用折曲突出部の後方側が接合する折り曲げ受片部が連なる間隔調整用受部を設けるとともに。前記間隔調整用凹陥部を形成する間隔調整用凹陥部下片を間隔調整用凹陥部上片より短尺にして落下防止用突部が係合する構成とするとともに、
前記中央ツース部材における中央ツース部材本体の左側の側面部に刃部側から後部側にわたって前記左ツース部材における間隔調整用凹陥部に嵌入し、接合する間隔調整用折曲突出部を設けるとともに、前記中央ツース部材本体には、前記右ツース部材における前記間隔調整用折曲突出部の前方側が嵌入可能な間隔調整用凹陥部及び前記間隔調整用折曲突出部の後方側が接合する折り曲げ受片部が連なる構成とし、前記間隔調整用折曲突出部の突出端下部に落下防止機構部を構成する落下防止用突部を設け、前記間隔調整用凹陥部を形成する間隔調整用凹陥部下片を間隔調整用凹陥部上片より短尺にして落下防止用突部が係合する構成とし、
前記右ツース部材、中央ツース部材、左ツース部材の並設構造において、隣り合うもの間における前記間隔調整用折曲突出部と、前記間隔調整用凹陥部及び折り曲げ受片部との複数面接合構造により、前記ツース盤に作用する曲げ荷重に対する耐性を向上するとともに、前記右ツース部材、中央ツース部材の並設構造において、前記落下防止用突部と前記間隔調整用凹陥部下片との係合により中央ツース部材の脱落を防止し、前記中央ツース部材と左ツース部材との並設構造において、前記落下防止用突部と前記間隔調整用凹陥部下片との係合により左ツース部材の脱落を防止するように構成したことを特徴とするショベル機械用のバケットに付設されるツース盤。
【請求項５】
前記請求項１乃至請求項４のいずれか１項に記載のツース盤を備えることを特徴とするショベル機械用のバケット。
【請求項６】
前記請求項１乃至請求項４のいずれか１項に記載のツース盤を上下・左右反転構造としたツース盤を備えることを特徴とするショベル機械用のバケット。
【考案の詳細な説明】
【技術分野】
【０００１】
本考案は、土木工事等に使用するショベル機械用のバケットに付設されるツース盤及び該ツース盤を備えるショベル機械用のバケットに関し、詳しくは、複数のツース部材を間隔調整可能に並設して異なるサイズのバケットに対応可能であるとともに、ツース盤自体に作用する曲げ荷重に対する耐性の向上を図ったショベル機械用のバケットに付設されるツース盤及び該ツース盤を備えるショベル機械用のバケットに関するものである。
【背景技術】
【０００２】
従来、複数のツース部材６１、６２を間隔調整可能に嵌め合わせて並設する構造のツース盤５１においては、図７に示すように、一方のツース部材６１に直方体状空間を形成する間隔調整用凹陥部６３を設け、他方のツース部材６２に前記間隔調整用凹陥部６３に嵌入する平坦な間隔調整用突部６４を設けてこれらを嵌め合い重合構造として構成したものが殆どである。
【０００３】
このような複数のツース部材６１、６２を並設したツース盤５１の場合、間隔調整用凹陥部６３、間隔調整用突部６４間は、間隔調整用凹陥部６３の上側、下側の平坦面と、間隔調整用突部６４の平坦な上面、下面との接合構造で嵌め合い重合されるため、調整可能な最大ピッチの使用態様において、ツース盤５１の垂直方向に関して過大な曲げ荷重が加わった場合を想定すると、当該過大な曲げ荷重に対して前記間隔調整用凹陥部６３、又は間隔調整用突部６４が破損に至る脆弱性を有している。
【０００４】
上述したツース盤５１において、破損防止のための強度を向上させるためには、前記間隔調整用凹陥部６３や間隔調整用突部６４の板厚を厚くする方向が一般的であり、これ以外の対策は存在していないと推定される。
【０００５】
特許文献１には、本願の出願人が先に提案したものであって、各々基端側に連結ピン用のピン穴を具備し、バケット側から突出させたアダプターが装着可能な嵌入用凹陥部を設け、各々突出端側に掘削用の土砂等に食い込ませる刃部を露出状態に設けた複数個のツース部材の並設構造でショベル機械用のバケットに付設されるツース盤であって、前記複数個のツース部材のうち、両側面部に隣り合わせで他のツース部材が並設されるツース部材の一方の側面部に間隔調整用突出部を、他方の側面部に上面遮蔽部材及び底面部材による間隔調整用凹陥部を各々設け、前記複数個のツース部材のうち、片側の側面部にのみ他のツース部材が並設されるツース部材には、間隔調整用突出部、又は上面遮蔽部材及び底面部材による間隔調整用凹陥部を設け、前記両側面部に他のツース部材が並設されるツース部材の間隔調整用凹陥部に対する隣のツース部材の間隔調整用突出部のスライド嵌合変位、又は前記両側面部に他のツース部材が並設されるツース部材の間隔調整用突出部の隣のツース部材の間隔調整用凹陥部に対するスライド嵌合変位により、前記各刃部を並設方向で一直線状態を維持しつつ前記各ツース部材間の並設方向の間隔調整を各々可能とするとともに、前記各上面遮蔽部材により、前記各刃部の領域を除く各上面遮蔽部材の下側位置を占める領域の各ツース部材間の各隙間を遮蔽するように構成したショベル機械用のバケットに付設されるツース盤が開示されている。
【０００６】
しかし、この特許文献１のツース盤の場合も曲げ荷重による破損防止のための強度を向上させるための格別の対策は講じられていない。
【先行技術文献】
【特許文献】
【０００７】
【特許文献１】特開２０１７−２５５７８号公報
【考案の概要】
【考案が解決しようとする課題】
【０００８】
本考案は、上記事情に鑑み開発されたものであり、複数のツース部材を間隔調整可能に並設して異なるサイズのバケットに対応可能であるとともに、間隔調整機構要素の板厚の増大を防止しつつツース盤自体に作用する曲げ荷重に対する耐性の向上を図ったショベル機械用のバケットに付設されるツース盤及び該ツース盤を備えるショベル機械用のバケットを提供するものである。
【課題を解決するための手段】
【０００９】
本考案は、バケットの右側片側に配置する右ツース部材、バケットの左側片側に配置する左ツース部材、及び前記右ツース部材、左ツース部材間に並設される単数個又は複数個の中央ツース部材からなる複数個のツース部材の並設構造で、各々基端側に連結ピン用のピン穴を具備し、バケット側から突出させたアダプターが装着可能な嵌入用凹陥部を設け、各々突出端側に掘削用の土砂等に食い込ませる刃部を露出状態に設けたショベル機械用のバケットに付設されるツース盤であって、前記右ツース部材における右ツース部材本体の左側の側面部に刃部側から後部側にわたって間隔調整用折曲突出部を設け、前記左ツース部材における左ツース部材本体の右側の側面部に刃部側から後部側にわたって中央ツース部材の間隔調整用折曲突出部の前方側が嵌入可能な間隔調整用凹陥部及び前記間隔調整用折曲突出部の後方側が接合する折り曲げ受片部が連なる間隔調整用受部を設け、前記中央ツース部材における中央ツース部材本体の左側の側面部に刃部側から後部側にわたって前記左ツース部材又は他の中央ツース部材における間隔調整用凹陥部に嵌入し、接合する間隔調整用折曲突出部を設けるとともに、前記中央ツース部材本体には、前記右ツース部材又は他の中央ツース部材における前記間隔調整用折曲突出部の前方側が嵌入可能な間隔調整用凹陥部及び前記間隔調整用折曲突出部の後方側が接合する折り曲げ受片部が連なる間隔調整用受部を設けることにより構成し、前記右ツース部材、単数個又は複数個の中央ツース部材、左ツース部材の並設構造において、隣り合うもの間における前記間隔調整用折曲突出部と、前記間隔調整用凹陥部及び折り曲げ受片部との複数面接合構造により、前記ツース盤に作用する曲げ荷重に対する耐性を向上したことを最も主要な特徴とする。
【考案の効果】
【００１０】
請求項１記載の考案によれば、バケットの右側片側に配置する右ツース部材、バケットの左側片側に配置する左ツース部材、及び前記右ツース部材、左ツース部材間に並設される単数個又は複数個の中央ツース部材からなる複数個のツース部材の並設構造の基に、異なるサイズのバケットに対応可能であるとともに、間隔調整機構要素の板厚の増大を防止しつつツース盤自体に作用する曲げ荷重に対する耐性の向上を図ることができるショベル機械用のバケットに付設されるツース盤を実現し提供することができる。
【００１１】
請求項２記載の考案によれば、バケットの右側片側に配置する右ツース部材、バケットの左側片側に配置する左ツース部材、及び前記右ツース部材、左ツース部材間に並設される中央ツース部材からなるツース部材の３連並設構造の基に、異なるサイズのバケットに対応可能であるとともに、間隔調整機構要素の板厚の増大を防止しつつツース盤自体に作用する曲げ荷重に対する耐性の向上を図ることができるショベル機械用のバケットに付設されるツース盤を実現し提供することができる。
【００１２】
請求項３記載の考案によれば、バケットの右側片側に配置する右ツース部材、バケットの左側片側に配置する左ツース部材、及び前記右ツース部材、左ツース部材間に並設される単数個又は複数個の中央ツース部材からなる複数個のツース部材の並設構造の基に、異なるサイズのバケットに対応可能であるとともに、間隔調整機構要素の板厚の増大を防止しつつツース盤自体に作用する曲げ荷重に対する耐性の向上を図ることができるとともに、単数個又は複数個の中央ツース部材の脱落を防止し、かつ、左ツース部材の脱落をも防止することができるショベル機械用のバケットに付設されるツース盤を実現し提供することができる。
【００１３】
請求項４記載の考案によれば、バケットの右側片側に配置する右ツース部材、バケットの左側片側に配置する左ツース部材、及び前記右ツース部材、左ツース部材間に並設される中央ツース部材からなるツース部材の３連並設構造の基に、異なるサイズのバケットに対応可能であるとともに、間隔調整機構要素の板厚の増大を防止しつつツース盤自体に作用する曲げ荷重に対する耐性の向上を図ることができるとともに、中央ツース部材の脱落を防止し、かつ、左ツース部材の脱落をも防止することができるショベル機械用のバケットに付設されるツース盤を実現し提供することができる。
【００１４】
請求項５記載の考案によれば、請求項１乃至請求項４のいずれか１項に記載の考案の効果を奏するツース盤を備える斬新なショベル機械用のバケットを実現し提供することができる。
【００１５】
請求項６記載の考案によれば、請求項１乃至請求項４のいずれか１項に記載の考案の効果を奏するツース盤を上下・左右反転構造としたツース盤を備えることにより、請求項５記載の考案と同様な効果を発揮し、かつ、ツース盤の使用態様の多様化をも図れる斬新なショベル機械用のバケットを実現し提供することができる。
【図面の簡単な説明】
【００１６】
【図１】図１は本考案の実施例に係るショベル機械用のバケットに付設されるツース盤（３連構造）の概略斜視図である。
【図２】図２は本実施例に係るショベル機械用のバケットに付設されるツース盤（３連構造）の概略分解斜視図である。
【図３】図３は本実施例に係るショベル機械用のバケットに付設されるツース盤における右ツース部材と中央ツース部材との嵌合構造を、一部を二点鎖線の形態で示す概略断面図である。
【図４】図４は本実施例に係るショベル機械用のバケットに付設されるツース盤（３連構造）の変形例であって脱落防止機構部を付加した構成を示す概略分解斜視図である。
【図５】図５は図４に示す変形例のツース盤における右ツース部材と中央ツース部材との嵌合構造であって脱落防止機構部を付加した構成を、一部を二点鎖線の形態で示す概略断面図である。
【図６】図６は図１に示すツース盤（３連構造）を備えるショベル機械用のバケットの概略斜視図である。
【図７】図７は従来のツース盤を構成する複数のツース部材の嵌合構造を、一部を二点鎖線の形態で示す概略断面図である。
【考案を実施するための形態】
【００１７】
本考案は、３連のツース部材を間隔調整可能に並設して異なるサイズのバケットに対応可能であるとともに、間隔調整機構要素の板厚の増大を防止しつつツース盤自体に作用する曲げ荷重に対する耐性の向上を図ったショベル機械用のバケットに付設されるツース盤を実現し提供するという目的を、バケットの右側片側に配置する右ツース部材、バケットの左側片側に配置する左ツース部材、及び、前記右ツース部材、左ツース部材間に並設される中央ツース部材からなる３個のツース部材の並設構造で、各々基端側に連結ピン用のピン穴を具備し、バケット側から突出させたアダプターが装着可能な嵌入用凹陥部を設け、各々突出端側に掘削用の土砂等に食い込ませる刃部を露出状態に設けたショベル機械用のバケットに付設されるツース盤であって、前記右ツース部材における右ツース部材本体の左側の側面部に刃部側から後部側にわたって間隔調整用折曲突出部を設け、前記左ツース部材における左ツース部材本体の右側の側面部に刃部側から後部側にわたって中央ツース部材の間隔調整用折曲突出部の前方側が嵌入可能な間隔調整用凹陥部及び前記間隔調整用折曲突出部の後方側が接合する折り曲げ受片部が連なる間隔調整用受部を設け、前記中央ツース部材における中央ツース部材本体の左側の側面部に刃部側から後部側にわたって前記左ツース部材における間隔調整用凹陥部に嵌入し、接合する間隔調整用折曲突出部を設けるとともに、前記中央ツース部材本体には、前記右ツース部材における前記間隔調整用折曲突出部の前方側が嵌入可能な間隔調整用凹陥部及び前記間隔調整用折曲突出部の後方側が接合する折り曲げ受片部が連なる間隔調整用受部を設けることにより構成し、前記右ツース部材、中央ツース部材、左ツース部材の並設構造において、隣り合うもの間における前記間隔調整用折曲突出部と、前記間隔調整用凹陥部及び折り曲げ受片部との複数面接合構造により、前記ツース盤に作用する曲げ荷重に対する耐性を向上した構成により実現した。
【実施例】
【００１８】
以下、図面を参照して、本考案の実施例に係るショベル機械用のバケットに付設されるツース盤及び該ツース盤を備えるショベル機械用のバケットについて詳細に説明する。
【００１９】
なお、本実施例においては、左右の方向性の関係を図１に示すように定義して以下の説明を行う。
【００２０】
本実施例におけるショベル機械用の図６に示すバケット４１に付設されるツース盤１は、図１、図２に示すように、バケット４１の右側片側に配置する右ツース部材１１、バケットの左側片側に配置する左ツース部材３１、及び前記右ツース部材１１、左ツース部材３１間に並設される中央ツース部材２１からなる３個のツース部材の並設構造としている。
【００２１】
前記右ツース部材１１、中央ツース部材２１、左ツース部材３１は、各々右ツース部材本体１２、中央ツース部材本体２２、左ツース部材本体３２を有し、これら右ツース部材本体１２、中央ツース部材本体２２、左ツース部材本体３２の各基端側に、図示しない連結ピン用のピン穴１３ａ、２３ａ、３３ａを具備し、また、バケット４１側から突出させたアダプター４２が装着可能な嵌入用凹陥部１３、２３、３３を設けている。
【００２２】
前記右ツース部材本体１２、中央ツース部材本体２２、左ツース部材本体３２の各突出端側には、掘削用の土砂等に食い込ませる刃部１３ｂ、２３ｂ、３３ｂを露出状態に設けている。
【００２３】
前記右ツース部材１１における右ツース部材本体１２の左側の側面部には、前記刃部１３ｂ側から後部側に、側面側から見て刃部１３ｂ側が高く後部側が低くその中間部が後方に下降する斜面部１５により連設され折り曲げ段違い形状とした間隔調整用折曲突出部１４を設けている。
【００２４】
前記左ツース部材３１における左ツース部材本体３２の右側の側面部には、前記刃部３３ｂ側から後部側にわたって、後述する中央ツース部材２１の間隔調整用折曲突出部２４の前方側が嵌入可能な直方体状の空間部を形成する間隔調整用凹陥部３６と、前記中央ツース部材２１の前記間隔調整用折曲突出部２４の後方側が接合する折り曲げ受片部３７とが斜面部３５を経て連なる間隔調整用受部３８を設けている。
【００２５】
前記中央ツース部材２１における中央ツース部材本体２２の左側の側面部には、前記右ツース部材１１の間隔調整用折曲突出部１４と同様な形状の間隔調整用折曲突出部２４を設けている。
【００２６】
すなわち、前記間隔調整用折曲突出部２４は、前記刃部２３ｂ側から後部側に、側面側から見て刃部２３ｂ側が高く後部側が低くその中間部が後方に下降する斜面部２５により連設された折り曲げ段違い形状としている。
【００２７】
また、前記中央ツース部材本体２２の右側片側には、前記右ツース部材１１における前記間隔調整用折曲突出部１４の前方側が嵌入可能な間隔調整用凹陥部２６及び前記間隔調整用折曲突出部１４の後方側が接合する折り曲げ受片部２７が斜面部２９を経て連なる間隔調整用受部２８を設けている。
【００２８】
次に、本実施例に係るショベル機械用のバケット４１に付設されるツース盤１の曲げ荷重Ｆに対する耐性効果につい説明する。
【００２９】
図３は前記ツース盤１の曲げ荷重Ｆに対する耐性効果の説明に関して、右ツース部材１１と中央ツース部材２１との嵌合構造を代表例として示すものである。
【００３０】
本実施例に係るツース盤１においては、隣り合う前記右ツース部材１１、中央ツース部材２１の並設構造においては、図３に示すように、前記右ツース部材１１の前記間隔調整用折曲突出部１４の前方側が中央ツース部材２１の間隔調整用凹陥部２６内に嵌入して接合し、前記間隔調整用折曲突出部１４の後方側が折り曲げ受片部２７上に接合し、更に前記間隔調整用折曲突出部１４の斜面部１５の下面が中央ツース部材２１の斜面部２９の上面に接合する。
【００３１】
これにより、右ツース部材１１の前記間隔調整用折曲突出部１４と、中央ツース部材２１の間隔調整用凹陥部２６及び折り曲げ受片部２７との複数面接合構造により、これら各要素の板厚の増大を防止しつつ前記ツース盤１に例えば垂直方向から作用する曲げ荷重Ｆに対する耐性を図７に示す従来例に比較し確実に向上させることができる。
【００３２】
前記中央ツース部材２１と、左ツース部材３１との並設構造においても同様である。
【００３３】
また、本実施例に係るツース盤１においては、右ツース部材１１と中央ツース部材２１と左ツース部材３１との間隔調整可能な３連並設構造としているので異なる幅サイズのバケット４１用としても対応可能である。
【００３４】
なお、本実施例においては右ツース部材１１と中央ツース部材２１と左ツース部材３１との間隔調整可能な３連並設構造としているが、この他中央ツース部材２１を２個、３個、４個等のように複数個並設し、全体として４連、５連、６連等の並設構造としたツース盤１を構成することも勿論可能であり、このような場合にも上述した場合と同様な効果を発揮させることができる。
【００３５】
次に、図４、図５を参照して変形例に係るツース盤１Ａについて説明する。
【００３６】
なお、変形例に係るツース盤１Ａにおいて、上述した実施例に係るツース盤１の場合と同一の要素には同一の符号を付し、その詳細説明は省略する。
【００３７】
また、図５は変形例に係るツース盤１Ａにおける右ツース部材１１と中央ツース部材２１との嵌合構造を代表例として示すものである。
【００３８】
変形例に係るツース盤１Ａは、基本的な構成は図２に示すツース盤１Ａと同様であるが、右ツース部材１１の間隔調整用折曲突出部１４の突出端下部に落下防止機構部２を構成する例えば断面直角三角形状の落下防止用突部１４ａを設け、かつ、中央ツース部材２１の間隔調整用折曲突出部２４の突出端下部に落下防止機構部２を構成する例えば断面直角三角形状の落下防止用突部２４ａを設けたこと、中央ツース部材２１の間隔調整用凹陥部２６を形成する間隔調整用凹陥部下片２６ａを間隔調整用凹陥部上片２６ｂより短尺にして前記右ツース部材１１の落下防止用突部１４ａと係合するようにしたこと、更に、左ツース部材３１の間隔調整用凹陥部３６を形成する間隔調整用凹陥部下片３６ａを間隔調整用凹陥部上片３６ｂより短尺にして前記中央ツース部材２１の落下防止用突部２４ａと係合するようにしたことが特徴である。
【００３９】
変形例に係るツース盤１Ａにおいて、図５に示す前記右ツース部材１１、中央ツース部材２１の並設構造によれば、このツース盤１Ａの実際の使用時において中央ツース部材２１に脱落力が作用した場合、右ツース部材１１の落下防止用突部１４ａに中央ツース部材２１の間隔調整用凹陥部下片２６ａが係合することにより中央ツース部材２１の脱落力が受け止められ、これにより、中央ツース部材２１のツース盤１Ａからの脱落を防止することが可能となる。
【００４０】
更に、図５に示すように、前記右ツース部材１１における間隔調整用折曲突出部１４の斜面部１５の下面が中央ツース部材２１の斜面部２９の上面に接合し、中央ツース部材２１の脱落力に抗する摩擦力が生じるので、この摩擦力も中央ツース部材２１の脱落防止に寄与する。
【００４１】
この他、図示しないが中央ツース部材２１、左ツース部材３１の並設構造においても上述した場合と同様にして左ツース部材３１のツース盤１Ａからの脱落を防止することが可能となる。
【００４２】
上述したように変形例に係るツース盤１Ａによれば、実施例のツース盤１と同様な構成であることから、各要素の板厚の増大を防止しつつ前記ツース盤１に例えば垂直方向から作用する曲げ荷重Ｆに対する耐性を図７に示す従来例に比較し確実に向上させることができ、かつ、上述した構成により中央ツース部材２１や左ツース部材３１のツース盤１Ａからの脱落を防止することが可能となる。
【００４３】
変形例において、異なる幅サイズのバケット４１用としても対応可能であること、中央ツース部材２１を２個、３個、４個等のように複数個並設し、全体として４連、５連、６連等の並設構造としたツース盤１Ａを構成することが可能であることも実施例のツース盤１の場合と同様である。
【００４４】
図６は実施例のツース盤１を、アダプター４２を介して付設したショベル機械用のバケット４１を示すものである。
【００４５】
この実施例のツース盤１を備えるバケット４１によれば、既述した実施例の効果を発揮する斬新なショベル機械用のバケット４１とすることができる。
【００４６】
また、図示しないが変形例のツース盤１Ａを、アダプター４２を介して付設したショベル機械用のバケット４１を構成することもでき、この場合には既述した変形例の効果を発揮する斬新なショベル機械用のバケット４１とすることができる。
【００４７】
更に、図示しないが実施例のツース盤１を上下・左右反転したツース盤、又は変形例のツース盤１Ａを上下・左右反転したツース盤を、アダプター４２を介して付設したショベル機械用のバケット４１を構成することも可能であり、この場合においても上述した場合と同様な効果を発揮し、かつ、ツース盤の使用態様の多様化を図ることができる。
【産業上の利用可能性】
【００４８】
本考案のツース盤は、パワーショベルやショベルローダ等の掘削等を行う作業機械に用いられる各種バケット用として広範に適用可能である。
【符号の説明】
【００４９】
１    ツース盤
１Ａ  ツース盤
２    落下防止機構部
１１    右ツース部材
１２    右ツース部材本体
１３    嵌入用凹陥部
１３ａ  ピン穴
１３ｂ  刃部
１４    間隔調整用折曲突出部
１４ａ  落下防止用突部
１５    斜面部
２１    中央ツース部材
２２    中央ツース部材本体
２３    嵌入用凹陥部
２３ａ  ピン穴
２３ｂ  刃部
２４    間隔調整用折曲突出部
２４ａ  落下防止用突部
２５    斜面部
２６    間隔調整用凹陥部
２６ａ  間隔調整用凹陥部下片
２６ｂ  間隔調整用凹陥部上片
２７    折り曲げ受片部
２８    間隔調整用受部
２９    斜面部
３１    左ツース部材
３２    左ツース部材本体
３３    嵌入用凹陥部
３３ａ  ピン穴
３３ｂ  刃部
３５    斜面部
３６    間隔調整用凹陥部
３６ａ  間隔調整用凹陥部下片
３６ｂ  間隔調整用凹陥部上片
３７    折り曲げ受片部
３８    間隔調整用受部
４１    バケット
４２    アダプター
Ｆ    曲げ荷重
【図１】
0003216474.tif 000003
【図２】
0003216474.tif 000004
【図３】
0003216474.tif 000005
【図４】
0003216474.tif 000006
【図５】
0003216474.tif 000007
【図６】
0003216474.tif 000008
【図７】
0003216474.tif 000009